(57)【要約】【課題】取付けが容易で表示効果が高い表示板をあらかじめ取り付けておくことができるマルチパックを得る。【解決手段】複数の容器が一単位として集積包装されたマルチパック２００であって、マルチパックの包装箱２１０の天面板２１に切込み２２を有し、切込みに表示部１００が係止され、表示部は表示板１と、天面板に重ね合わされる底面板３と、底面板の一端と表示板の上端の間に連設される折込板４と、表示板の下端から突出する係止部２を有し、係止部が切込みに挿入されて係止され、天面板の上方から押圧すると表示板が天面板に対して平坦になり、押圧を解除すると表示板が起き上がる。【選択図】図２
2018118762.tif 000002
【特許請求の範囲】
【請求項１】
複数の容器が一単位として集積包装されたマルチパックであって、前記マルチパックの包装箱の天面板に切込みを有し、前記切込みに表示部が係止され、前記表示部は表示板と、前記天面板に重ね合わされる底面板と、前記底面板の一端と前記表示板の上端の間に連設される折込板と、前記表示板の下端から突出する係止部を有し、前記係止部が前記切込みに挿入されて係止され、前記天面板の上方から押圧すると前記表示板が前記天面板に対して平坦になり、押圧を解除すると前記表示板が起き上がることを特徴とするマルチパック。
【請求項２】
前記切込みが、前記天面版の長手方向に延在することを特徴とする請求項１に記載のマルチパック。
【請求項３】
前記底面板の反対側の端部が、前記係止部に接続していることを特徴とする請求項１または２のいずれかに記載のマルチパック。
【請求項４】
前記切込みが、前記天面版の短手方向の中心からずれた位置に設けられていることを特徴とする請求項１から３のいずれかに記載のマルチパック。
【発明の詳細な説明】
【技術分野】
【０００１】
本発明は、マルチパックに関するものである。より詳しくは、販売促進のための表示物が取り付けられたマルチパックに関するものである。
【背景技術】
【０００２】
缶入りのビールやコーヒーなどを半ダース等の複数個を一単位として集積包装されたマルチパックがスーパーマーケットあるいは量販店などで販売されている。このようなマルチパックの包装箱には、天面板、底面板、前面板、背面板からなり、天面板にそれぞれに指を入れて持つための長手方向に２つの吊手孔が設けられているものが多くある。
【０００３】
販売促進のために、店舗で積み重ねられたマルチパックの最上段のマルチパックの上に、ＰＯＰ情報などを表示した表示物を設置することがある。通常、この設置作業を行うのは、店舗の店員であるが、店員への指示が徹底されない場合があり、うまく表示物が設置されない事態が起こりうる。
【０００４】
また、顧客は最上段のマルチパックから順に購入するが、最上段のマルチパックが除かれた２段目のマルチパックには表示物が設置されていないので、その都度、表示物を設置する必要がある。一方、表示物をマルチパックなどの上に設置するには、接着剤（粘着剤）を用いる場合が多い。
【０００５】
例えば、特許文献１には、ＰＯＰラベルなどの表示物になる接着シートであって、基材シートと、当該基材シートの一方の面における少なくとも一部の領域に積層された接着剤層とを備え、当該接着剤層を介して被着体に貼付される接着シートであって、前記被着体の被着面に沿って接着可能な接着部と、前記被着体に貼付された状態で前記被着面と交差して起立可能な起立部と、前記被着面と交差した前記被着体の他の面に接触可能に設けられて前記起立部の起立状態を維持する起立維持部とを備えた接着シートが開示されている。
【０００６】
しかしながらこの接着シートでは、剥離紙を剥がして、マルチパックなどの上面と接着シートとの位置あわせして貼るなどの手間もかかり、その都度、店舗の店員が表示物を設置するのは難しいという問題点があった。
【先行技術文献】
【特許文献】
【０００７】
【特許文献１】特開２０１２−２３０１８２号公報
【発明の概要】
【発明が解決しようとする課題】
【０００８】
本発明は上記のような事情に鑑みてなされたもので、取り付けるのが容易で、マルチパックの上に表示板が起き上がった状態で保持され、マルチパックを更に上に積み重ねたとき表示板が平坦になり、積み重ねたマルチパックを取り除くと表示板が起き上がる表示物付のマルチパックを提供することを課題としている。
【課題を解決するための手段】
【０００９】
本発明は係る課題に鑑みなされたものであり、請求項１の発明は、複数の容器が一単位として集積包装されたマルチパックであって、前記マルチパックの包装箱の天面板に切込みを有し、前記切込みに表示部が係止され、前記表示部は表示板と、前記天面板に重ね合
わされる底面板と、前記底面板の一端と前記表示板の上端の間に連設される折込板と、前記表示板の下端から突出する係止部を有し、前記係止部が前記切込みに挿入されて係止され、前記天面板の上方から押圧すると前記表示板が前記天面板に対して平坦になり、押圧を解除すると前記表示板が起き上がることを特徴とするマルチパックである。
【００１０】
本発明のマルチパックは、以上のような構成であって、上から押圧すると表示板が天面板に対して平坦になり、押圧を解除すると表示板が起き上がるので、表示物を上に係止したマルチパックの上にマルチパックを更に積み重ねても、下のマルチパックの表示板は平坦になり積み重ねることができ、上に積み重ねたマルチパックを取り除くと、下のマルチパックの表示物の表示板が起き上がり、アイキャッチ効果がある。また、折込板の折り込みが延びて平坦に戻ろうとすることを利用するので、構造が簡単で、別部材を用いる必要もなく、１枚のシートで表示物が形成できる。また切込みに挿入することで係止して取り付けられるので、取り付け自体も容易にできる。
【００１１】
本発明の請求項２の発明は、前記切込みが、前記天面版の長手方向に延在することを特徴とする請求項１に記載のマルチパックである。
【００１２】
本発明は、切込みが天面版の長手方向に延在するため、表示部を長手方向に延在するように係止できるため、表示板の面積を大きくすることができ、より高い表示効果を得ることができる。
【００１３】
本発明の請求項３の発明は、前記底面板の反対側の端部が、前記係止部に接続していることを特徴とする請求項１または２のいずれかに記載のマルチパックである。
【００１４】
本発明は、底面板の反対側の端部が、前記係止部に接続しているので、底面板がマルチパックの包装箱の天面板に安定して重ねあわされていて、ずれにくい。
【００１５】
本発明の請求項４の発明は、前記切込みが、前記天面版の短手方向の中心からずれた位置に設けられていることを特徴とする請求項１から３のいずれかに記載のマルチパックである。
【００１６】
本発明は、切込みが天面板の短手方向の中心からずれた位置に設けられているため、マルチパックを持つために短手方向の中心に設けられることの多い吊手孔に表示部が被さって隠すことがなく、吊手孔に指を入れてマルチパックを持つことが良好に行える。
【発明の効果】
【００１７】
本発明のマルチパックは、表示部を係止して取り付けるので取り付けるのが容易で、マルチパックの上に表示板が起き上がった状態で保持されアイキャッチ効果があり、マルチパックを更に上に積み重ねたとき表示板が平坦になり、積み重ねたマルチパックを取り除くと表示板が起き上がるので、あらかじめ積み重ねる前に取り付けておくことができる。
【図面の簡単な説明】
【００１８】
【図１】本発明のマルチパックに取り付ける表示物の一例を模式的に斜視で示した説明図である。
【図２】本発明のマルチパックの一例を模式的に斜視で示した説明図である。
【図３】本発明のマルチパックに取り付ける表示物を模式的に側面から示した説明図である。
【図４】本発明のマルチパックの包装箱の一例の展開図である。
【図５】本発明のマルチパックに取り付ける表示物の一例の展開図である。
【図６】本発明のマルチパックに取り付ける表示物の製造方法を説明するための模式図である。
【発明を実施するための形態】
【００１９】
以下、本発明を実施するための形態について説明する。
図１は、本発明のマルチパックに取り付ける表示物の一例を模式的に斜視で示した説明図、図２は、本発明のマルチパックの一例を模式的に斜視で示した説明図である。
【００２０】
本例の表示物１００は、図１の斜視図に示すように、表示板１に折罫を介して係止部２が連設されて接続している。また、係止部２の根元にはその左右両端に切欠き５が設けられている。なお、図示しないが表示板１には、商品名や価格、キャッチコピー、説明文、イラストなどのＰＯＰ情報が表示されている。
【００２１】
また、表示物１００には、底面板３が設けられ、底面板３の一端と表示板１の上端の間に折込板４が連設されている。折込板４は２つに折り曲げられ、中央部分が谷折りされ内方に折り込まれている。
【００２２】
図２は、飲料缶１０が装着され、表示物１００が取り付けられた状態のマルチパック２００である。すなわち、マルチパック２００の包装箱２１０の天面板２１に設けられたた切込み２２に、係止部２を差し込んで嵌合させて、表示物１００が係止されている。
【００２３】
またこのとき、係止部２の根元の両側に切欠き５があるため、この部分が切込み２２の両端部に引っかかりやすくなり、係止部２が簡単に抜けてしまうのを防止する。
【００２４】
このとき、底面板３は、包装箱２１０の天面板２１に重ね合わされていて、表示板１は、底面板３との間に連設された折込板４が折り込まれているのが延びて平坦に戻ろうとするので、図３（ａ）の側面図に示すように持ち上げられて起き上がっている。
【００２５】
このようになっているので、表示物１００が係止されているマルチパック２００の上に更にマルチパックを積み重ねると、図３（ｂ）に示すようにその重さで上から押圧され、折込板４が折り畳まれ、表示板１が天面板２１に対して平坦になる。そして、上のマルチパックが取り除かれると、押圧が解除されて、折り畳まれた折込板４が延びて平坦に戻ろうとするので、表示板１が起き上がる。
【００２６】
以下、本例のマルチパック２００の製造方法について説明する。図４は、本発明のマルチパックの包装箱の一例の展開図、図５は表示物の一例の展開図、図６は、表示物の一例の製造方法を説明するための模式図である。各図の１点鎖線、２点鎖線は折罫であり、１点鎖線は山折り、２点鎖線は谷折りである。
【００２７】
本例のマルチパック２００の包装箱２１０は、図４の展開図のようなブランクを折罫で折って角筒状にし、マルチパックの底面となる面で係止鍵部２４を係止スリット２５と係合させ、必要に応じて接着して形成する。天面２１となる部分には、吊手孔２３となる一対の切れ目が天面２１の長手方向に並ぶように設けられ、天面２１の短手方向の中心からずれた、吊手孔２３から離れた部位に表示物１００の係止部２を挿入するための切込み２２が設けられている。
【００２８】
本例の表示物１００は、図５の展開図のようなブランクを折って、必要に応じて貼着して形成する。表示物１００のブランクは、図５に示すように、上から底面板３、折込板４、表示板１が設けられ、表示板１の下端部に係止部２が設けられている。係止部２の根元の両端には切欠き５が設けられている。また、底面板３の上端部の左右中央には、上に飛び出した部分があり、この部分は、係止部２と貼着される貼着部６になっている。
【００２９】
貼着部６と底面板３の間は平らになっていて折罫などは設けられていない。底面板３が包装箱２１０の天面板２１に重なり合うときに、貼着部６も天面板２１に重なり合うようになる。貼着部６と係止部２とが重なった部分は接着剤、両面テープなどで貼着する。これにより、折込板４は係止部２に接続される。
【００３０】
これを底面板３側から見ると、図６のような折り込まれた表示物１００ができる。この折り込んだ状態での固定を外すと、図１に示すような、折込板４により底面板３と表示板１が開いた表示物１００ができる。
【００３１】
そして、この表示物１００の係止部２を包装箱２１０の天面板２１の切込み２２に差し込む。差し込むと根元両端の切欠き５が抜け止めとなり、係止部２は簡単には抜け出ることがなく係止される。
【００３２】
そして、底面板３は、包装箱２１０の天面板２１に重なり合うので、水平になり、表示板１は折込板４で押し上げられているので、起き上がっている。そして、上から表示物１００が押圧されると、折込板４がより折り畳まれて、表示板１が天面板２１に対して平坦になる。
【００３３】
本例の表示物１００は、以上のように、マルチパックの上に取り付け、マルチパックを更に上に積み重ねたとき表示板１が平坦になり、積み重ねたマルチパックを取り除くと表示板１が起き上がるようになっている。
【００３４】
また、取り付けるのも容易である。また、表示物１００はマルチパックの上に取り付けたままでも、平坦にできるので、あらかじめ取り付けておいて、店舗などに搬入することもできる。
【００３５】
本発明のマルチパックの表示物はこれに限ることなく、例えば、折込板４の谷折りを増やして、山折り、谷折り、山折り、谷折り、山折りと繰り返してもよい。更にはもっと増やしてもかまわない。あるいは、折込板４を止めて、表示板１と底面板３の間に発条を設けて、表示板１と底面板３の間が開くようにしてもよい。
【００３６】
本例の包装箱２１０および表示物１００のブランクは抜き型を用いた打ち抜き、レーザーを用いたカッティングなどにより形成され、特に形成方法は限定されない。ブランクに用いる材料には、腰があって、折り曲げても戻るような剛性があることが好ましい。また、印刷適性も必要である。
【００３７】
例えば、アート紙、コート紙、合成紙、あるいは、プラスチックシートを用いることができる。また、これらを積層して用いることもできる。更には、アイキャッチ効果を高めるために金属蒸着層を設けてもよい。冷蔵庫に保管される可能性があるので、耐水性を有することが好ましい。
【符号の説明】
【００３８】
１・・・表示板
２・・・係止部
３・・・底面板
４・・・折込板
５・・・切欠き
６・・・貼着部
１０・・・飲料缶
２１・・・天面板
２２・・・切込み
２３・・・吊手孔
２４・・・係止鍵部
２５・・・係止スリット
１００・・・表示部
２００・・・マルチパック
２１０・・・包装箱
【図１】
2018118762.tif 000003
【図２】
2018118762.tif 000004
【図３】
2018118762.tif 000005
【図４】
2018118762.tif 000006
【図５】
2018118762.tif 000007
【図６】
2018118762.tif 000008